(57)【要約】【課題】ポケット台紙への収容量が多い場合に表紙体を閉じた状態での外観を損ねることがなく、また、ポケット台紙への収容量が少ない場合に表紙体を閉じた状態で嵩張ることがないファイル表紙を提供する。【解決手段】ファイル表紙１は、背表紙部２１の幅方向両側に表表紙部２２と裏表紙部２３とが連続して形成された表紙体２と、表紙体２の内面側に設けられた複数枚のポケット台紙３とを備える。上記表紙体２としては、柔軟な外側シート４と柔軟な内側シート５との間に硬い芯板６が配置された構成であり、芯板６は、表表紙部２２及び裏表紙部２３では全体的に存在し、背表紙部２１では上下の縁部以外の中央部が除去されて芯除去部６５とされており、背表紙部２１は、表紙体２を閉じた状態のときに複数枚のポケット台紙３の厚み変化に応じて背幅が変化可能に撓む柔軟性を有する構成とする。【選択図】図１
0003212274.tif 000002
【実用新案登録請求の範囲】
【請求項１】
背表紙部の幅方向両側に表表紙部と裏表紙部とが連続して形成された表紙体と、表紙体の内面側に設けられた複数枚のポケット台紙とを備え、
上記表紙体としては、柔軟な外側シートと柔軟な内側シートとの間に硬い芯板が配置された構成であり、芯板は、表表紙部及び裏表紙部では全体的に存在し、背表紙部では上下の縁部以外の中央部が除去されて芯除去部とされており、背表紙部は、表紙体を閉じた状態のときに複数枚のポケット台紙の厚み変化に応じて背幅が変化可能に撓む柔軟性を有する構成としたファイル表紙。
【請求項２】
請求項１に記載のファイル表紙において、
上記芯板は、外側シートの裏面に配置された外側芯板と、内側シートの裏面に配置された内側芯板とを有し、
上記表紙体は、外側芯板と内側芯板とを貼り合わせて外側シートと内側シートとが接合された構成とし、
上記外側シートにおいて、外側芯板は、表表紙部及び裏表紙部の位置では全体的に存在し、背表紙部の位置では上下の縁部以外の中央部が除去されて芯除去部とされ、
上記内側シートにおいて、内側芯板は、表表紙部及び裏表紙部の位置では全体的に存在し、背表紙部の位置では全部除去されて芯無し部とされている構成としたファイル表紙。
【請求項３】
背表紙部の幅方向両側に表表紙部と裏表紙部とが連続して形成された表紙体と、表紙体の内面側に設けられた複数枚のポケット台紙とを備え、
上記表紙体としては、柔軟な外側シートと柔軟な内側シートとの間に硬い芯板が配置された構成であり、芯板は、表表紙部及び裏表紙部では全体的に存在し、背表紙部では全部除去されて芯無し部とされており、背表紙部は、表紙体を閉じた状態のときに複数枚のポケット台紙の厚み変化に応じて背幅が変化可能に撓む柔軟性を有する構成としたファイル表紙。
【請求項４】
請求項３に記載のファイル表紙において、
上記芯板は、外側シートの裏面に配置された外側芯板と、内側シートの裏面に配置された内側芯板とを有し、
上記表紙体は、外側芯板と内側芯板とを貼り合わせて外側シートと内側シートとが接合された構成とし、
上記外側シートにおいて、外側芯板は、表表紙部及び裏表紙部の位置では全体的に存在し、背表紙部の位置では全部除去されて芯無し部とされ、
上記内側シートにおいて、内側芯板は、表表紙部及び裏表紙部の位置では全体的に存在し、背表紙部の位置では全部除去されて芯無し部とされている構成としたファイル表紙。
【請求項５】
請求項２又は４に記載のファイル表紙において、
上記外側芯板は、表表紙部及び裏表紙部の位置において、上下の縁部及び自由端の縁部のみにて外側シートと接合されて部分接合部とされ、表紙中央部及び背表紙部との境界の基端部は外側シートとは接合されていない非接合部とされている構成としたファイル表紙。
【請求項６】
請求項１〜５のいずれか１項に記載のファイル表紙において、
上記外側シートは、内側シートよりも幅方向に少し長く形成されており、
上記表紙体は、この外側シートの長い分を背表紙部で寄せるようにして外側シートの幅方向両端を内側シートの幅方向両端に揃えて重ね合わたせた構成としたファイル表紙。
【考案の詳細な説明】
【技術分野】
【０００１】
本考案は、クレジットカードやポイントカード等のカード、名刺、写真、書類、厚い冊子、ハガキ等を収容するためのファイル表紙に関する。
【背景技術】
【０００２】
従来、カードホルダー等のようなファイル表紙は、背表紙部の幅方向両側に表表紙部と裏表紙部とが連続して形成された表紙体と、表紙体の背表紙部の内面側に設けられた複数枚のポケット台紙とを備えている（特許文献１）。表紙体は、硬質の合成樹脂等の素材で形成され、背表紙部と表表紙部及び裏表紙部との境界には折筋が形成され、表表紙部及び裏表紙部が開閉自在に構成されている。
【先行技術文献】
【特許文献】
【０００３】
【特許文献１】実開平７−３５０７４号公報
【考案の概要】
【考案が解決しようとする課題】
【０００４】
従来のファイル表紙１００では、背表紙部１２１の背幅は一定幅に固定されている。そのため、図６に示すように、ポケット台紙１０３にカード、名刺、写真、書類、厚い冊子、ハガキ等を多く収容すると、表紙体１０２を閉じたときに複数枚のポケット台紙１０３の厚みが大きくなり、それにより表表紙部１２２と裏表紙部１２３とが半開き状態のままとなり、外観上の見栄えが悪くなる。また、カード、名刺、写真、書類、厚い冊子、ハガキ等を少ししか収容してない場合、背表紙部１２１の背幅分の厚みを有するので、かばんや収納箱等に収納、保管等する際に嵩張って場所をとるという不都合がある。
【０００５】
本考案は、以上の事情に鑑みてなされたものであり、ポケット台紙への収容量が多い場合に表紙体を閉じた状態での外観を損ねることがなく、また、ポケット台紙への収容量が少ない場合に表紙体を閉じた状態で嵩張ることがないファイル表紙を提供することを目的とする。
【課題を解決するための手段】
【０００６】
本考案に係るファイル表紙は、
背表紙部の幅方向両側に表表紙部と裏表紙部とが連続して形成された表紙体と、表紙体の内面側に設けられた複数枚のポケット台紙とを備え、
上記表紙体としては、柔軟な外側シートと柔軟な内側シートとの間に硬い芯板が配置された構成であり、芯板は、表表紙部と裏表紙部との位置では全体的に存在し、背表紙部の位置では上下の縁部以外の中央部が除去されて芯除去部とされており、背表紙部は、表紙体を閉じた状態のときに複数枚のポケット台紙の厚み変化に応じて背幅が変化可能に撓む柔軟性を有する構成としたものである。
【０００７】
これにより、ポケット台紙にカード、名刺、写真、書類、厚い冊子、ハガキ等（以下、カード等）を収容したときの複数枚のポケット台紙の厚み変化に応じて背表紙部の背幅が広くなったり狭くなったりして変化する。従って、カード等を多く収容させても表紙体を閉じた状態では表表紙部と裏表紙部とが略平行なフラット状態となり外観上の見栄えをよくすることができ、また、カード等を少ししか収容してない場合は表紙体を閉じた状態では背表紙部の背幅が狭くなって厚みを抑えた偏平な状態となり嵩張ることもない。
【０００８】
また、芯板は、背表紙部では上下の縁部には存在しており表表紙部及び裏表紙部に配置する部分と繋がっているので、表表紙部と裏表紙部のそれぞれの位置には芯板が正しい位置に配置され、芯板が位置ズレすることもない。従って、表表紙部と裏表紙部にはシワや凹凸等が形成されることはなく、表紙体を平滑で綺麗な表面状態とすることができる。
【考案の効果】
【０００９】
以上のように、本考案に係るファイル表紙によれば、ポケット台紙への収容量が多い場合に表紙体を閉じた状態での外観を損ねることがなく、また、ポケット台紙への収容量が少ない場合に表紙体を閉じた状態で嵩張ることがないという効果が発揮される。また、表表紙部と裏表紙部にはシワや凹凸等が形成されることはなく、表紙体を平滑で綺麗な表面状態とすることができるという効果も発揮される。
【図面の簡単な説明】
【００１０】
【図１】実施形態によるファイル表紙の表紙体を閉じた状態を示す斜視図である。
【図２】実施形態によるファイル表紙の表紙体を開いた状態の内面側を示す平面図である。
【図３】表紙体を構成する外側シートの裏面側を示す平面図である。
【図４】表紙体を構成する内側シートの裏面側を示す平面図である。
【図５】ポケット台紙にカード等を収容して表紙体を閉じた状態を示す側面図であり、同図（ａ）はカード等を多く収容したときの側面図、同図（ｂ）はカード等を少し収容したときの側面図である。
【図６】従来のファイル表紙において、ポケット台紙にカード等を多く収容して表紙体を閉じた状態を示す側面図である。
【考案を実施するための形態】
【００１１】
以下に、本考案の実施形態について図面を参照しながら説明する。
図１、図２に示すように、実施形態のファイル表紙（例えば、カードホルダー等）１は、背表紙部２１の幅方向両側に表表紙部２２と裏表紙部２３とが連続して形成された表紙体２と、表紙体２の内面側に設けられた複数枚のポケット台紙３とを備えている。
【００１２】
ポケット台紙３は、例えば、カード、名刺、写真、書類、厚い冊子、ハガキ等の被収納物が収納される。実施形態のポケット台紙３は、不織布の台紙３１に透明フィルムを溶着して袋状に形成した収納部３２が設けられ、収納部３２には、カード、名刺、写真、ハガキ等が収納される。なお、ポケット台紙３は、台紙３１を有しない袋物、クリヤファイル等でもよく、カード等の被収納物に応じて様々な形態のものとすることができ、例えば、ポケット台紙３をクリヤファイルにて形成して書類、厚い冊子、ハガキ等を収容するようにしたものでもよい。実施形態のポケット台紙３では、図２に示すように、一面に三段の収納部３２を有し、基端部側にカード等の差込口３３が形成されている。複数枚のポケット台紙３は、背表紙部２１の内面に接合されている。つまり、ポケット台紙３は、表紙体２よりも幅方向、上下方向ともに小さく形成されているが、見開き状態にて表表紙部２２と裏表紙部２３とに配置される大きさを有して積層され、この積層された複数枚のポケット台紙３全体が、その幅方向中央部にて背表紙部２１における内側シート５の内面側の幅方向中央部に縫合７１して接合されている。なお、ポケット台紙３の表紙体２への接合は、縫合７１に限らず、溶着、接着、ステープラ等のその他の接合方法で行ってもよいし、表紙体２の内面に設けた差込部に差し込むようにして設けてもよい。また、ポケット台紙３は、表表紙部２１又は裏表紙部２２の内面に設けられていてもよい。さらに、ポケット台紙３は、枚数を増減可能、差し替え可能に設けられていてもよい。
【００１３】
表紙体２は、柔軟な外側シート４と柔軟な内側シート５との間に硬い芯板６が配置された構成となっている。外側シート４及び内側シート５は、例えば、革（天然皮革、人工皮革）、合成樹脂シート、布等の軟質シートが使用される。芯板６は、例えば、ボール紙等の厚紙、合成樹脂板等の硬質の板材が使用される。
【００１４】
図３、図４に示すように、芯板６は、外側シート４の裏面に配置された外側芯板６１（図３参照）と、内側シート５の裏面に配置された内側芯板６２（図４参照）とを有する。これら外側芯板６１と内側芯板６２とを対面させて接着剤や両面テープ等で貼り合わせて外側シート４と内側シート５とを接合することで表紙体２が形成されている。これにより、外側シート４と内側シート５とは、それぞれ外側芯板６１と内側芯板６２とがあてがわれることによって表面にシワや凹凸等が形成されることはないから、表紙体２の表裏面を平滑で綺麗な表面状態とすることができる。
【００１５】
外側シート４においては、図３に示すように、外側芯板６１は、表表紙部の位置４２と裏表紙部の位置４３では全体的に存在し、背表紙部の位置４１では上下の縁部４４，４５以外の中央部が除去されて芯除去部６３とされている。内側シート５においては、図４に示すように、内側芯板６２は、表表紙部の位置５２と裏表紙部の位置５３では全体的に存在し、背表紙部の位置５１では全部除去されて芯無し部６４とされている。従って、表紙体２にあっては、芯板６は、表表紙部２２と裏表紙部２３では全体的に存在し、背表紙部２１ではその上下の縁部以外の中央部が除去されて芯除去部６５（図１参照）とされている。この芯除去部６５を設けることにより、背表紙部２１は、表紙体２を閉じた状態のときに複数枚のポケット台紙３の厚み変化に応じて背幅が変化可能に撓む柔軟性を有する構成となる。
【００１６】
以上の構成より、図５（ａ）（ｂ）に示すように、ポケット台紙３にカード、名刺、写真、書類、厚い冊子、ハガキ等を収容したときの複数枚のポケット台紙３の厚み変化に応じて背表紙部２１の背幅が広くなったり狭くなったりして変化する。従って、カード、名刺、写真、書類、厚い冊子、ハガキ等を多く収容させても表紙体２を閉じた状態では表表紙部２２と裏表紙部２３とが略平行なフラット状態となり（図５（ａ）参照）、外観上の見栄えをよくすることができる。また、カード、名刺、写真、書類、厚い冊子、ハガキ等を少ししか収容してない場合は表紙体２を閉じた状態では背表紙部２１の背幅が狭くなって厚みを抑えた偏平な状態となり（図５（ｂ）参照）、嵩張ることもなく、かばんや収納箱等には場所をとらずに省スペースに収納、保管等することができる。
【００１７】
また、芯板６は、背表紙部２１で上下の縁部に存在する部分６６，６７が表表紙部２２及び裏表紙部２３に配置する部分６８，６９と繋がっているので（図１参照）、表表紙部２２と裏表紙部２３のそれぞれの位置には芯板６が正しい位置に配置され、芯板６が位置ズレすることもない。従って、表表紙部２２と裏表紙部２３にはシワや凹凸等が形成されることはなく、表紙体２を平滑で綺麗な表面状態とすることができる。
【００１８】
外側シート４は、外側芯板６１の縁部を挟み込むように外側シート４の縁部を裏面側に折り返してこの縁部全周を縫合７２して外側芯板６１が裏面に設けられている（図３参照）。内側シート５も、内側芯板６２の縁部を挟み込むように内側シート５の縁部を裏面側に折り返してこの縁部全周を縫合７３して内側芯板６２が裏面に設けられている（図４参照）。なお、外側芯板６１や内側芯板６２は、上記縫合７２，７３に限定されず、溶着、接着、ステープラ止め等のその他の方法で接合させてもよい。
【００１９】
また、外側芯板６１は、表表紙部２２及び裏表紙部の位置４２，４３において、上下の縁部４４，４５及び自由端の縁部４６のみにて外側シート４と接合されて部分接合部とされ、表紙中央部４７及び背表紙部２１との境界の基端部４８は外側シート４とは接合されていない非接合部とされている（図３参照）。外側シート４の表紙中央部４７及び背表紙部２１との境界の基端部４８にも外側芯板６１を接着剤や両面テープ等で接着させると接着剤等により外側シート４の表面（すなわち表紙体２の表面）に凹凸やシワ等が形成されるおそれがあるが、非接合部とすることで、このような外観不良を生じる心配もない。また、非接合部により、表紙体２を開閉する際、外側シート４には伸び縮みのテンションが加わり難くすることができ、表紙体２の開閉を円滑に行うことができる。
【００２０】
内側芯板６２は、全面が内側シート５と接着剤又は両面テープ等にて接合されている。従って、この内側芯板６２と外側芯板６１とが貼り合わされることにより、外側シート４及び内側シート５に対して内側芯板６２と外側芯板６１とで構成する芯板６が位置ズレすることなく配置され、表紙体２の保形性を良好に確保している。
【００２１】
外側シート４は、内側シート５よりも幅方向に少し長く（例えば、３〜５ｍｍ程度）形成されている。そして、表紙体２は、この外側シート４の長い分を背表紙部２１で寄せるようにして外側シート４の幅方向両端を内側シート５の幅方向両端に揃えて重ね合わせて接合した構成となっている。これにより、表紙体２を閉じた状態のときは、外側シート４に引っ張られて表表紙部２２又は裏表紙部２３が傾斜した半開き状態とならず略平行なフラット状態とすることができる。また、表紙体２を開いた状態にしたとき、自由状態では表紙体２が略水平状態に保持され、この水平状態以上に表表紙部２２又は裏表紙部２３が開かないように抑制することができる。よって、表紙体２を閉じた状態のときも開いた状態のときも外観上の見栄えがよいものとなる。
【００２２】
なお、本考案は、上記実施形態のみに限定されず、実用新案登録請求の範囲の記載及び均等の範囲内で様々な変更を施すことが可能である。
例えば、外側シート４においては、内側シート５と同様に、外側芯板６１は、背表紙部の位置４１では全部除去されて芯無し部としてもよい。この場合、表紙体２において、芯板６は、表表紙部及び裏表紙部の位置４２，４３では全体的に存在し、背表紙部の位置４１では全部除去されて芯無し部となった形態となる。この形態でも、背表紙部２１は、表紙体２を閉じた状態のときに複数枚のポケット台紙３の厚み変化に応じて背幅が変化可能に撓む柔軟性を有する構成とすることができる。
【符号の説明】
【００２３】
１  ファイル表紙
２  表紙体
３  ポケット台紙
４  外側シート
５  内側シート
６  芯板
２１  背表紙部
２２  表表紙部
２３  裏表紙部
４１，５２  背表紙部の位置
４２，５３  表表紙部の位置
４３，５３  裏表紙部の位置
４４  上の縁部
４５  下の縁部
６１  外側芯板
６２  内側芯板
６３  外側シートでの芯除去部
６４  内側シートでの芯無し部
６５  表紙体での芯除去部
【図１】
0003212274.tif 000003
【図２】
0003212274.tif 000004
【図３】
0003212274.tif 000005
【図４】
0003212274.tif 000006
【図５】
0003212274.tif 000007
【図６】
0003212274.tif 000008